(57)【要約】  向上されたバンド幅効率を可能にする特化されたプリアンブルを持つ通信信号の移送に使用する通信装置が開示される。通信装置は、１より大きい整数であるＮに等しいブロックサイズを有するＳＣＢＴ信号又はＯＦＤＭのようなブロック伝送方式を操作するように構成される第１装置を含み、ブロック伝送信号は、プリアンブルの全てのシンボルのある割合が、周波数オフセット推定、クロック同期、及びチャネル推定の全てに対して各々が使用され得るようなシンボル構成を持つプリアンブルを有する。
2009543408.tif 000002
【特許請求の範囲】
【請求項１】
向上されたバンド幅効率を可能にするように特化されたプリアンブルを有する通信信号とともに使用する通信装置であって、
１より大きい整数Ｎのブロックサイズを有するブロック伝送信号を操作する第１装置
を含み、前記ブロック伝送信号は、前記プリアンブルの全てのシンボルのうちの少なくとも１つのシンボルが、各々周波数オフセット推定、クロック同期、及びチャネル推定の全てに対して使用され得るようなシンボル構成をもつプリアンブルを有する、通信装置。
【請求項２】
前記ブロック伝送信号は、前記プリアンブルの全シンボルの少なくとも５０％が、各々周波数オフセット推定、クロック同期、及びチャネル推定の全てに使用され得るようなシンボル構成を持つプリアンブルを有する、請求項１に記載の通信装置。
【請求項３】
前記ブロック伝送信号は、前記プリアンブルの実質的にすべてのシンボルが、各々周波数オフセット推定、クロック同期、及びチャネル推定の少なくとも２つに使用され得るようなシンボル構成を持つプリアンブルを有する、請求項２に記載の通信装置。
【請求項４】
前記プリアンブルが、周期的に直交である、請求項１に記載の通信装置。
【請求項５】
前記プリアンブルの使用が、ゼロ詰めもサイクリック・プリフィックスも含まない、請求項４に記載の通信装置。
【請求項６】
前記プリアンブルは、各シンボルが、等しい大きさを有し、実質的にフラットな周波数応答を有するような、シンボル構成を有する、請求項４に記載の通信装置。
【請求項７】
前記通信信号が、直交周波数分割多重信号である、請求項１に記載の通信装置。
【請求項８】
前記プリアンブルが、シンボルの繰り返すブロックからなり、該繰り返すブロックの各シンボル値ａｎが、以下の等式により規定され、
2009543408.tif 000005
ここでｎがシンボル数である、請求項６に記載の通信装置。
【請求項９】
前記第１装置が、受信機の一部である、請求項８に記載の通信装置。
【請求項１０】
前記第１装置が、周波数オフセットを推定する周波数オフセット推定装置と、受信された信号のタイミングを推定する同期装置と、受信された信号に応答して前記チャネルを推定するチャネル推定装置とを含み、前記同期装置が、前記周波数オフセット推定装置及び前記チャネル推定装置の少なくとも１つと並列で動作する、請求項９に記載の通信装置。
【請求項１１】
ブロック伝送通信信号の受信及びデータ抽出をする方法であって、
１より大きい整数Ｎの長さのブロックサイズを有するブロック伝送通信信号を受信するステップと、
前記ブロック伝送通信信号の第１プリアンブルにおけるシンボルの共通のセットを使用して、第１の前記ブロック伝送通信信号に対し、周波数オフセット推定、クロック同期、及びチャネル推定のうちの少なくとも２つを実行するステップと
を含む方法。
【請求項１２】
前記第１プリアンブルにおける前記シンボルの共通のセットを使用して、周波数オフセット推定、クロック同期、及びチャネル推定の３つ全てを実行するステップを更に含む、請求項１１に記載の受信及びデータ抽出をする方法。
【請求項１３】
前記第１プリアンブルにおける前記シンボルの共通のセットが、反復するブロックのシンボルを含む、請求項１２に記載の受信及びデータ抽出をする方法。
【請求項１４】
前記繰り返すブロックの各シンボル値ａｎが、以下の式により決定され、
2009543408.tif 000006
ここでｎがシンボル数である、請求項１３に記載の受信及びデータ抽出をする方法。
【請求項１５】
前記クロック同期のステップが、前記周波数オフセット推定及びチャネル推定のうちの少なくとも１つの並列で実行される、請求項１２に記載の受信及びデータ抽出をする方法。
【請求項１６】
前記クロック同期のステップが、出力電力スペクトル検出プロセスの間、大きなピークを検出するステップを含む、請求項１２に記載の受信及びデータ抽出をする方法。
【請求項１７】
前記クロック同期のステップが、一連の繰り返すブロックのシンボルのうちの複数のブロックにおける、出力電力スペクトル検出プロセスの間、共通の位置において複数の大きなピークを検出するステップを含む、請求項１６に記載の受信及びデータ抽出をする方法。
【請求項１８】
前記クロック同期のステップが、周波数オフセット推定及びチャネル推定のステップのどちらかよりも、少なくとも１つ多くのブロックを使用することを必要とされる、請求項１３に記載の受信及びデータ抽出をする方法。
【請求項１９】
第１プリアンブルが、ゼロ詰めもサイクリック・プリフィックスも含まない、請求項１３に記載の受信及びデータ抽出をする方法。
【請求項２０】
前記チャネル推定のステップが、複数のプリアンブルブロックに渡ってノイズを平均化するステップを含む、請求項１３に記載の受信及びデータ抽出をする方法。
【請求項２１】
伝送媒体を通じて伝搬する電磁波抽出部であって、該電磁波が１より大きい整数Ｎに等しいブロック長を有するブロック伝送通信信号を含み、プリアンブルが、繰り返すブロックのシンボルを含み、該繰り返すブロックの各シンボル値ａｎが、以下の式により決定され、
2009543408.tif 000007
ここでｎがシンボル数である、電磁波抽出部。
【請求項２２】
前記プリアンブルが、ゼロ詰めもサイクリック・プリフィックスも含まない、請求項２１に記載の電磁波抽出部。
【請求項２３】
前記電磁波が、直交周波数分割多重通信信号からなる、請求項２１に記載の電磁波抽出部。
【発明の詳細な説明】
【技術分野】
【０００１】
本開示は、パケットベースの通信システムの分野に関する。
【背景技術】
【０００２】
通常直交周波数分割多重（ＯＦＤＭ）又はシングルキャリアブロック伝送（ＳＣＢＴ）のような従来のブロック伝送方法、パケットベースプロトコルを使用する伝送システムにとって、送信及び受信される各パケットは、プリアンブルを前につけたデータフィールドからなる。各データフィールドは、通常、ストリームのデータビット、ヘッダ、及びいくつかの形態のデータチェックを含むであろう。各プリアンブルは、（１）同期（２）周波数オフセット推定（３）チャネル推定専用の２又は３の一連の分離した部分を含むであろう。このようなブロック伝送方式において、プリアンブルは、ゼロ詰め（ＺＰ）バッファ、又はサイクリック・プリフィックス（ＣＰ）バッファ、すなわち周期的な冗長シンボルから形成されるバッファのようないくつかの形態のバッファにより各ブロックが分割されるブロックでも通常伝送される。
【発明の開示】
【発明が解決しようとする課題】
【０００３】
上記のパケット構造が、長期間使用されているが、確実なデータ通信システムのますます大きな要求は、同じ利用可能なバンド幅を使用してより多くのデータを送信するようにシステムの性能を改善することに対して、ますます大きな重圧がかかる。したがって、パケット化された情報の効率的な送受信に関する新たな技術が所望される。
【課題を解決するための手段】
【０００４】
第１の実施例において、通信装置は、向上したバンド幅効率を可能にする特化したプリアンブルを有する通信信号を伝送することに使用される。通信装置は、１より大きな整数であるＮに等しいブロックサイズを有する、ＯＦＤＭ又はＳＣＢＴ信号のようなブロック伝送方式を操作するように構成される第１装置を含み、ブロック伝送信号は、プリアンブルの全てのシンボルのある割合が、各々、周波数オフセット推定、クロック同期、及びチャネル推定の全てに使用され得るように、シンボル構成をもつプリアンブルを有する。
【０００５】
第２の実施例において、ブロック伝送通信信号の受信及びデータ抽出をする方法は、Ｎより大きな整数であるＮに等しいブロックサイズを有するブロック伝送通信信号を受信するステップと、プリアンブルにおける共通のセットのシンボルを使用して、周波数オフセット推定、クロック同期、及びチャネル推定のうちの少なくとも２つの実行するステップとを含む。
【０００６】
第３の実施例において、伝送媒体を伝搬する電磁波が提示される。該電磁波は、１より大きな整数であるＮに等しいブロックサイズを有するブロック伝送信号を含み、各チャネルは、シンボルの反復するブロックを含むプリアンブルを有し、各シンボルは、複素２次のシーケンスから引き出される。
【０００７】
例示的な実施例は、添付の図面とともに読まれる場合、以下の詳細な説明から最もよく理解される。様々な特徴は、必ずしもスケール通りに描かれていないことが強調される。事実、大きさは議論を明確にするため、任意に拡大又は縮小され得る。適用可能及び実用的である場合、類似の参照符号は、類似の要素を指す。
【発明を実施するための最良の形態】
【０００８】
以下の詳細な説明において、例示的且つ被制限的な目的の特定な詳細を開示する例示的な実施例は、本教示による実施例の詳細な理解を提供するために説明される。しかしながら、ここに開示される特定の詳細から逸脱する、本教示による他の実施例が、請求項の範囲内にあることは、本開示の恩恵を受ける当業者には明らかであろう。更に、よく知られた装置及び方法の説明は、例示的な実施例の説明を曖昧にしないように省略され得る。このような方法及び装置は、明らかに本教示の範囲内にある。
【０００９】
通常、ＯＦＤＭ及びＳＣＢＴ伝送システムのようなパケットベースのブロック伝送システムにおいて、時間領域及び周波数領域のトレーニングシーケンスは、各パケットの開始時に送信される。これらのトレーニングシーケンスは、信号同期（ＳＹＮＣ）、周波数オフセット推定（ＦＯＥ）及びチャネル推定（ＣＥ）をするため、それぞれの受信機により使用される。例えばＭＢ−ＯＦＤＭ  ＵＷＢ通信システムの時間領域シーケンスは、２４ＯＦＤＭシンボルに等しい長さを有し、それぞれの周波数領域シーケンスは、６ＯＦＤＭシンボルに等しい長さを有する。時間領域シーケンスは、同期及び周波数オフセット推定に使用されるが、周波数領域シーケンスは、チャネル推定に使用される。通常、これらのＯＦＤＭシンボルは、サイクリック・プリフィックス（ＣＰ）又はゼロ詰め（ＺＰ）を使用して分割される。このアプローチは、簡素なパラダイムに従う一方、長いプリアンブルを必要とし、今度は、システムのバンド幅効率を低下させる。高いレートの通信システムにおいて、システムのバンド幅効率を改善するためにこのようなプリアンブルのオーバーヘッドを削減することは、有利になり得る。
【００１０】
本方法及びシステムは、一度パケットが受信されるとパケットのプリアンブルを処理するために必要とされる時間を短縮するとともに、プリアンブルのオーバーヘッドを削減する、すなわちプリアンブルに必要とされるシンボルの数を削減することにより、効率を向上させ得る。
【００１１】
図１は、本開示による例示的な通信システム１００である。図１に示されるように、通信システム１００は、中間伝送媒体１５０により結合される信号源１４０と信号宛先１６０を有する。中間伝送媒体１５０は、固有の遅延ｔＴＡＵ及び付加的なノイズ源η０を備える固有チャネル応答ｈ[ｔ]を有する。例示的な通信システム１００は、パケットベースブロック伝送方法を使用して通信する。
【００１２】
しかしながら、従来のパケットベースブロック伝送システムとは違って、例示的な通信システム１００は、向上されたバンド幅効率及び並列処理をもたらす空間的なプリアンブルを有するパケットを使用して通信し得る。
【００１３】
図４は、開示される方法及びシステムとともに使用する例示的なブロック伝送パケット４００の一例を図示する。図４に示されるように、ブロック伝送パケット４００は、プリアンブル４１０及びデータフィールド４２０を含む。プリアンブル４１０は、シンボルの反復するブロック４１２を含む。データフィールドは、データ４２４及びゼロ又はサイクリック・プリフィックス４２２の交互のブロックを含む。
【００１４】
図４に更に示されるように、各プリアンブルブロック４１２は、以下の式１により規定される各シンボルａｎを含む一連のシンボルａ０…ａＮ−１からなり得る。
【数１】
2009543408.tif 000003
【００１５】
この等式は、「複素２次」（ＣＱ）シーケンスと時々呼ばれ、通信技術において知られるが、開示された方法及びシステムの発明者により開発された様々な態様に適用されない。
【００１６】
複素２次シーケンスの第１の利点は、これが環状に直交であることである。すなわち、複素２次シーケンスは、自身の環状シフトに基づくいかなるシーケンスに対しても直交である。複素２次シーケンスのこの特性は、このようなシーケンスが、ブロック間へのいずれかのサイクリック・プリフィックス又はゼロ詰めの必要性を排除するので、ブロック伝送システムの相関ベースの同期にとって非常に良い選択となる。これ自体が、プリアンブルオーバーヘッドをかなり低減し得る。
【００１７】
複素２次シーケンスを使用する更なる他の利点は、これが時間に対して一定の電力を有する、すなわち｜ａｎ｜＝１であることである。複素２次シーケンスのこの特性は、受信側において非線形な電力増幅器に流すことなく、より高い電力でプリアンブルを送信することを可能にする。
【００１８】
複素２次シーケンスの更に他の利点は、複素２次シーケンスの離散フーリエ変換（ＤＦＴ）を見ることにより見出され得、これは以下の式２に示される。
【数２】
2009543408.tif 000004
【００１９】
式２の分析は、複素２次シーケンスが、周波数に渡って一定の電力を有する、すなわち｜Ａｋ｜＝１であることを明らかにする。ＯＦＤＭ通信システムに対して、この特性は、バンド幅全体を横切る、すなわち全てのサブキャリアを横切るチャネルを感知することを可能にする。
【００２０】
したがって、ＣＱシーケンスは、チャネル推定のための良い選択になり得る。
【００２１】
各プリアンブルブロックが、Ｎ個のシンボルからなることを必要とせず、代替として、より実際的な応用のためにより少ないシンボルを有し得ることに留意されたい。更に、プリアンブルブロックの長さは、固定され得ない。すなわち、異なる長さをもつＣＱシーケンスは、同じプリアンブルにおいて使用され得る。良いブロック長は、様々な要素に依存して、実施例ごとに変化することが予期され得る。
【００２２】
図２は、例示的な受信機１６０のブロック図である。図２に示されるように、例示的な受信機は、制御器２１０、メモリ２２０、相関装置２３０、同期装置２４０、周波数オフセット推定装置２５０、チャネル推定装置２６０、及び入力／出力装置２９０を含む。様々な部品２１０乃至２９０は、制御／データバス２０２を介してリンクされる。
【００２３】
図２の例示的な受信機１６０は、バス型アーキテクチャを使用するが、当業者に知られ得るようないかなる他のアーキテクチャも使用され得ると理解されるべきである。例えば、様々な実施例において、様々な部品２１０乃至２９０は、一連の分離したバス、又は高度に特化されたアーキテクチャにおいて構成される専用のロジックの一群を介して、ともに結合される別個の電子部品の形態をとり得る。
【００２４】
上で列挙された部品２３０乃至２９０のいくつかは、メモリ２２０に備わるソフトウェア／ファームウェアルーチンの形態をとり得、制御器２１０により実行することができるか、又は異なる制御器により実行される、別個のサーバ／コンピュータにおける別個のメモリにあるソフトウェア／ファームウェアルーチンの形態をとり得る。
【００２５】
動作において、検出される／復調されるブロック伝送パケットは、入力／出力装置２９０を介して受信され、制御器２１０の制御の下でメモリ２２０に記憶され得る。次に、受信されたパケットは、妥当なパケットが到着したかどうかを決定するため、相関装置２３０を使用するトレーニングシーケンスで相関され得る。
【００２６】
一度妥当なパケットが検出されると、制御器２１０は、パケットからプリアンブルを抽出することができ、プリアンブルと同一のコピーを同期装置２４０、周波数オフセット推定部２５０、及びチャネル推定部２６０に供給し得る。
【００２７】
受信機１６０がいずれかの並列処理を実行する特定の要件はないので、上記のように、図４の例示的なパケット４００のプリアンブルは、独自に並列処理の役に立つ。すなわち、各チャネルのプリアンブルが環状直交シーケンスを含むブロックの反復からなる場合、異なる時間領域及び周波数領域シーケンスが、同期、周波数オフセット推定、及びチャネル推定に使用されることを必要としない。したがって、チャネル推定、並びに周波数オフセット推定及び訂正は、シンボルの同一のブロックを使用して同期と並行して実行され得る。本実施例に対して、同期が、周波数オフセット推定及びチャネル推定の一方又は両方と並行して実行され得ることは、理解されるべきである。
【００２８】
しかしながら、適切なチャネル推定を実行するため、周波数オフセットが最初に考慮され得る。したがって、周波数オフセット推定装置２５０は、プリアンブルにおける周波数オフセット推定を実行し得る。２つの連続したブロックにおける（相関装置により生成される）類似のピークの間の位相回転を測定することにより、いかなる周波数オフセットも推定され得る。より正確な推定のため、ブロックの異なる対から推定された値が、平均化され得る。通常、周波数オフセットは、２つのみの反復されるブロックを取るが、もちろん性能、及び性能要件は、多くの環境に依存して幅広く変化し得る。
【００２９】
一度、周波数オフセット推定装置２５０が、チャネル推定装置２６０に適切な周波数オフセット情報を供給すると、チャネル推定装置２６０は、予備のチャネル推定を正確に見積もり得る。環状直交シーケンスが使用される場合であって、周波数オフセットノイズがない場合、相関器の出力は、パケットが伝わる通信チャネルを表わすべきであることに留意されたい。言い換えると、ノイズ及び周波数オフセットがない場合、相関器の出力におけるＭ個の連続したサンプルのブロックは、未知の環式のシフトに応答する正確なチャネルパルスに類似し得る。したがって、ノイズがない場合、チャネル推定装置２６０のタスクは、簡素になされ得る。
【００３０】
しかしながら、ノイズが存在する場合、チャネル推定装置２６０は、（周波数オフセットが補正されると仮定すると）複数の連続したブロックを平均化することにより、より良いチャネル推定を引き出し得る。
【００３１】
周波数オフセット推定装置２５０及びチャネル推定装置２６０は、一緒に働き、同期装置２４０は、時間相関の間に大きなピークを探すことにより、同期手続きを独立して実行し得る。通常のチャネルモデル（例えば指数関数的減衰）を仮定すると、このアプローチは、よい推定を供給し得る。同期の成功を高確率で確かにするため、連続して繰り返されるブロックにおける同じ相対的位置において、１より多くのピーク（通常３乃至４のピーク）が要求され得る。言い換えると、システムが、３つの連続したブロックが同じ位置において大きなピークを生成するのを観測する場合、該システムは、これらのピークの位置が正確な同期時間であることを高い信頼性で推定することができる。
【００３２】
同期装置２４０が正確な同期時間を得た後、同期装置２４０は、正確な同期時間をチャネル推定装置２６０に供給し得る。
【００３３】
今度は、チャネル推定装置２６０が周波数オフセット及び（オプションとして）ノイズを考慮する正確な予備チャネル推定を生成すると仮定すると、チャネル推定装置２６０は、真のチャネル生成をするため、予備チャネル推定を環状にシフトし得る。
【００３４】
同期に使用されるブロックの数が、周波数オフセット推定又はチャネル推定に使用されるブロックの数よりも大きい限り、チャネル推定及び周波数オフセット推定に使用される受信されたデータが、（不要なデータに対して）送信されたトレーニングシーケンスを含むことが十分確実になり得る。通常、チャネル及び周波数オフセット推定は、２ブロックを使用して得ることができ、動機は、良いピークを持つ３又は４ブロックより後に確かめられ得る。
【００３５】
一度チャネル推定装置２６０が真のチャネル推定を見積もると、制御器２１０は、受信されたパケットのデータ部分からデータを抽出するため、このチャネル推定を使用し得る。
【００３６】
図３は、ブロック伝送パケットの受信、処理、及びデータ抽出に向けられる様々な例示的動作を概説するブロック図である。プロセスは、ブロック伝送パケット、例えば図４のブロック伝送パケット４００が受信されるステップ３０２で開始する。次に、ステップ３０４において、受信されたパケットは、他の物の中で妥当なパケットが受信されていることを確かにするため、所定のトレーニングシーケンスと相関される。それからステップ３０６において、プリアンブルは、受信されたパケットから抽出され、プリアンブルの第１ブロックが識別される。制御は、ステップ３１０に続く。
【００３７】
ステップ３１０において、第１パケットは、（オプションとして）並列な態様で実行され得る、複数の中間的なステップ３１２乃至３２０にしたがって、処理される。
【００３８】
処理の第１のラインでは、周波数オフセット推定手続きが実行され得るステップ３１２で制御が開始する。次に、ステップ３１４において、ステップ３１２で正確な周波数オフセットが推定され得ると仮定するという条件付きで、周波数オフセット補正手続きが実行され得る。それからステップ３１６において、チャネル推定手続きは、適切な予備チャネル推定が得られる前に周波数オフセット及びノイズが考慮されるべきであるという警告とともに実行され得る。制御は、ステップ３３０に続く。
【００３９】
処理の第２のラインでは、同期手続きが実行されるステップ３１２で制御が開始する制御は、ステップ３３０に続く。
【００４０】
ステップ３３０において、ステップ３２０における同期手続きがうまく実行されたかどうかに関して決定がなされる。上で議論されるように、同期は、ブロックにおける特定の位置に対する相関器の出力において、強い出力パルスが見つけられる場合に決定され得る。しかしながら、複数のブロックを処理することにより、より高いレベルの自信が持たれ得るので、同期は、規定により複数のブロックの処理を必要とし得る。うまく同期が生成されるように決定される場合、制御はステップ３３２に続き、そうでなければ制御はステップ３４０に飛ぶ。
【００４１】
ステップ３４０では、不成功の同期を仮定し、プリアンブルの最後に利用可能であるブロックが、ステップ３１０において処理されたかどうかに関して決定がなされる。プリアンブルにおける最後に利用可能であるブロックが処理された場合、失敗の報告が、いくつかの関連する制御回路に発行されるステップ３４２に制御は続き、処理は、ステップ３９０で停止する。
【００４２】
プリアンブルにおいて最後に利用可能であるブロックが処理されなかった場合、制御はステップ３５０に飛び、プリアンブルにおける次の連続したブロックが識別される。それから制御は、ステップ３１０に戻り、上記の周波数オフセット推定、周波数オフセット補正、チャネル推定、及び同期ステップ３１２乃至３２０が、次の識別されたブロックにおいて実行される。
【００４３】
ステップ３３２では、ステップ３３０における成功した同期プロセスを仮定し、ステップ３２０により生成される同期オフセットは、チャネル推定出力を環状にシフトし、したがって真のチャネル推定を生成するため、ステップ３１６の予備チャネル推定出力に適用され得る。次に、ステップ３３４において、真のチャネル推定が、受信されたパケットのデータ部分からデータを抽出するために使用され得、制御はプロセスが停止するステップ３９０に続く。
【００４４】
コンピュータベースのシステム又はプログラム可能論理のようなプログラム可能装置を使用して、上記のシステム及び／又は方法が実施される様々な実施例において、上記システム及び方法が、様々な既知、又は後に開発されるプログラミング言語、例えば「Ｃ」「Ｃ＋＋」「ＦＯＲＴＲＡＮ」「Ｐａｓｃａｌ」「ＶＨＤＬ」等のいずれかを使用して実現され得ることは、理解されるべきである。
【００４５】
したがって、装置、例えばコンピュータに、上記システム及び／又は方法を実施させ得る情報を含み得る様々な記憶媒体、例えば磁気コンピュータディスク、光ディスク、電子メモリ等が、用意され得る。一度、適切な装置がストレージ媒体に記憶される情報及びプログラムにアクセスすると、ストレージ媒体は、情報及びプログラムを装置に供給することができ、したがって、装置が、上記システム及び／又は方法を実行することを可能にする。
【００４６】
たとえば適切な材料、例えばソースファイル、オブジェクトファイル、実行可能ファイルなどを含むコンピュータディスクがコンピュータに供給された場合、コンピュータは、情報を受け、自身を適切に構成し、様々な関数を実施するように、上の図及びフローチャートに概説される様々なシステム及び方法の関数を実行し得る。すなわち、コンピュータは、上記システム及び方法の異なる要素に関連するディスクからの情報の様々な部分を受信し、個々のシステム及び／又は方法を実施し、上記個々のシステム及び／又は方法の機能を連携させ得る。
【００４７】
本教示の多くの特徴及び利点は、詳述された明細書から明らかであり、したがって、本教示の趣旨及び範囲にある本教示のこのような特徴及び利点の全てをカバーすることは、請求項により意図される。更に、多くの修正及び変形が当業者に容易に思いつくであろうが、本発明をまさに図示され、説明された構成及び動作に制限することは所望されず、全ての適切な変形及び等価のものは、本発明を使用するとともに、本発明の範囲にあり得る。
【図面の簡単な説明】
【００４８】
【図１】図１は、本開示による例示的な通信システムである。
【図２】図２は、例示的な受信機のブロック図である。
【図３】図３は、ブロック伝送パケットの受信、処理、及びデータ抽出に向けられる様々な例示的動作を概説するブロック図である。
【図４】図４は、本開示の様々な方法及びシステムとともに使用する例示的な通信波形を図示する。
【図１】
2009543408.tif 000008
【図２】
2009543408.tif 000009
【図３】
2009543408.tif 000010
【図４】
2009543408.tif 000011
【国際調査報告】
2009543408.tif 000012
2009543408.tif 000013
2009543408.tif 000014